(57)【特許請求の範囲】
【請求項１】
擁壁の適宜位置に植栽孔を形成して、該植栽孔内に補助育成基盤材を挿設し、該補助育成基盤材に植栽した植物の根を、上記擁壁背部の砕石などの透水層に活着させて育成し、上記擁壁の表面を緑化する擁壁面の緑化方法において、上記植栽孔を排水孔と兼用または同じ位置に設けることを特徴とする擁壁面の緑化方法。
【請求項２】
上記透水層の活着部分を、育成基盤材と置き換えることを特徴とする請求項１に記載の擁壁面の緑化方法。
【請求項３】
上記植栽孔の周囲の擁壁表面に集水路を設けることを特徴とする請求項１または２に記載の擁壁面の緑化方法。
【請求項４】
上記補助育成基盤材を充填した育成用ケースにより予め植物を育成してから、上記補助育成基盤材を上記育成用ケースに入れたまま、または、上記育成用ケースから引き抜いて、上記植栽孔に挿設することを特徴とする請求項１、２または３に記載の擁壁面の緑化方法。
【請求項５】
上記透水層の活着部分に保水手段を設けたことを特徴とする請求項１、２、３または４に記載の擁壁面の緑化方法。
【請求項６】
上記擁壁の表面に生長誘引手段を一体的に形成して、植物の生長方向を誘引することを特徴とする請求項１、２、３、４または５に記載の擁壁面の緑化方法。
【発明の詳細な説明】
【０００１】
【発明の属する技術分野】
本発明は、擁壁面の緑化方法に関する。
【０００２】
【従来の技術】
この種の従来の技術としては、例えば、特開平６−１０８４８５号公開公報に開示されているように、擁壁背部の透水層を通過して、地山にまでパイプを通し、植物の根を地山に活着させるものや、特開平９−１１１７６７号公開公報に開示されているように、擁壁に筒状孔を穿って緑化基盤材を収容せしめ、この育成基盤材の表層部に植物の種を蒔いたり苗を植栽するものがあった。
【０００３】
しかしながら、上記植物の根を地山に活着させるものは、植物を直接地山に植え付ける方法であるため、既設の擁壁には適用不能であるだけでなく、植物の茎の長さが擁壁厚と透水層厚を合わせた分だけ必要となり、蔓類以外の植物の植え込みは困難であるだけでなく、育成基盤材の表層部に種を蒔く方法も、植栽可能な植物が限られる等の問題点があった。
【０００４】
【発明が解決しようとする課題】
本発明は、上記従来の問題点を解決するためになされたもので、その目的とするところは、既設・新設の擁壁を問わず、各種の樹木や草花類を容易かつ迅速に植栽することができるだけでなく、確実かつ安定して育成することができる擁壁面の緑化方法を提供することにある。
【０００５】
【課題を解決するための手段】
本発明の擁壁面の緑化方法は、擁壁の適宜位置に植栽孔を形成して、該植栽孔内に補助育成基盤材を挿設し、該補助育成基盤材に植栽した植物の根を、上記擁壁背部の砕石などの透水層に活着させて育成し、上記擁壁の表面を緑化する擁壁面の緑化方法において、上記植栽孔を排水孔と兼用または同じ位置に設けることを特徴とする。また、上記透水層の活着部分を、育成基盤材と置き換えることを特徴とする。さらに、上記植栽孔の周囲の擁壁表面に集水路を設けることを特徴とする。又更に、上記補助育成基盤材を充填した育成用ケースにより予め植物を育成してから、上記補助育成基盤材を上記育成用ケースに入れたまま、または、上記育成用ケースから引き抜いて、上記植栽孔に挿設することを特徴とする。更に又、上記透水層の活着部分に保水手段を設けたことを特徴とする。また、上記擁壁の表面に生長誘引手段を一体的に形成して、植物の生長方向を誘引することを特徴とするものである。
【０００６】
【発明の実施の形態】
以下、本発明の実施の形態について、図面を参照しながら説明する。
図１において、１は擁壁、２はその背部に裏込めされた砕石などの透水層、３は盛土や切土などの地山であって、上記擁壁１の適宜位置に植栽孔４を形成し、該植栽孔４内に補助育成基盤材５を挿設して、該補助育成基盤材５に植栽した植物６の根６ａを、上記透水層２の活着部分２ａに根付かせて育成し、上記擁壁１の表面を緑化するようになっている。上記擁壁１は、例えば、鉄道、道路、宅地などの土留め用として構築されるコンクリート擁壁、モルタル擁壁、ブロック擁壁などの擁壁である。
【０００７】
上記植栽孔４は円筒状に限定するものではなく、楕円形、三角形、四角形、多角形などいずれの形状でも、また、テーパー状に形成してもよい。さらに、上記植栽孔４の向きは水平に形成するだけでなく、上記透水層２の方向に下がるように傾斜させたり、逆に、擁壁１の表面方向に下がるように傾斜させてもよい。擁壁１が既設のものである場合には、これに穿設されている排水孔を植栽孔４として兼用させてもよい。擁壁１を新設する場合には、図２に示すように、排水孔を設置する個所に、一回り大きなサイズの孔をあけて、排水孔７付きの植栽孔４としてもよい。
【０００８】
上記補助育成基盤材５は、上記植物６の根６ａが、上記透水層２の活着部分２ａに根付くまで育成するための補助資材であって、例えば、ヤシダストなどのような保水性が高くて上記植栽孔４から流出しない材料であればいずれでもよい。
【０００９】
上記植物６としては、擁壁１の表面や裏側における環境条件に耐える植物であれば種類を限定するものではなく、低木や中木であってもよい。以下に、本発明方法による植栽可能で壁面緑化に適した植物の例を挙げる。例えば、ミヤギノハギ、ピラカンサ、マツバギク、ハマナス、モッコウバラ、スイカズラ、ノウゼンカズラ、カロライナジャスミン、テイカカズラ、ヘデラ、ヒメウツギ、ヤマブキ、ロニセラ・ニティダ、コトネアスター、ツルマサキ、ツルニチニチソウ、フィカスプミラなどが挙げられるが、これらに限定するものではない。
【００１０】
図３は、上記透水層２の活着部分２ａの別の実施例を示すもので、この活着部分２ａの透水層２を、例えば、発泡錬石などの育成基盤材８と置き換えることにより、透水層２と同等の構造物としての強度や透水性の機能を保持させながら、植物６の根６ａの活着を増進させるようにしている。擁壁１を新設する場合には、上記透水層２を設置する際に、その活着部分２ａに育成基盤材８を設置する。既設の擁壁１では、植栽孔４を通じて活着部分２ａの透水層２を掘出し、育成基盤材８を詰め込む。
【００１１】
図４は、上記植栽孔４付近の擁壁１の表面の別の実施例を示すもので、図４（Ａ）に示すように、植栽孔４が開口している擁壁１の表面に集水路９を形成して、擁壁１の表面に降り注いで流下する雨水の一部を集水し、植栽孔４内に積極的に導入するように構成されている。上記集水路９は、図４（Ｂ）に示すような集水溝９ａ、あるいは、図４（Ｃ）に示すような集水突起９ｂのいずれでもよい。図４（Ａ）に示すように、上記集水溝９ａや集水突起９ｂを植栽孔４の開口上部に形成すると、図４（Ｄ）から明らかなように、植栽孔４の表面側が下方に傾斜している構造であっても、雨水を確実に導入することができる。本発明の集水路９は雨水を導入できる位置であれば、その植栽孔４の開口に対する位置は、図示のものに限定するものではない。
【００１２】
図５（Ａ）は、透水層２の活着部分２ａにおける更に別の実施例を示すもので、該活着部分２ａに保水機能を持たせて植物６の根６ａへの水供給を助けるようになっている。保水機能を持たせる具体例としては、図５（Ｂ）に示すように、塩化ビニールなどから成る底付き保水用筒体１０であって、上部に穴１０ａをあけたものや、図５（Ｃ）に示すように、上部に切欠き部１０ｂを設けた保水用筒体１０や、さらに、図５（Ｄ）に示すように、不透水シートなどによって形成した保水凹部１１などが考えられるが、本発明の保水手段はこれに限定するものではなく、根６ａへの給水を助けるものであればいずれでもよい。また、図５（Ｅ）に示すように、植栽孔４が前下がりの勾配となっていても、透水層２を流下する雨水などを植栽孔４に導入することができる。
【００１３】
図６は、植物の育成に係る別の実施例を示すもので、植栽する植物６を育成用ケース１２内で予め育成し、植物６がある程度大きくなってから、この育成用ケース１２を上記植栽孔４内に挿入し、根６ａを背部の透水層２に活着せしめる。育成された植物６を上記育成用ケース１２から取り出して、植栽孔４内に挿入してもよい。上記育成用ケース１２は、環境上、生崩壊（自然に分解）性の材料により構成するのが好ましい。１３は底面給水用トレーである。
【００１４】
図７は、擁壁１の表面の更に別の実施例を示すもので、擁壁１の表面に張り付いた状態で延びる蔓植物６′においては、擁壁１の表面に生長誘引手段１４を形成して、生長方向を誘引するようになっている。生長誘引手段１４としては、例えば、図７（Ｂ）に示すような突状生長誘引手段１４ａや、図７（Ｃ）に示すような溝状生長誘引手段１４ｂなどが考えられる。これらの生長誘引手段１４の表面を粗くすることにより、蔓植物６′の張り付きが良くなる。擁壁１の表面に一体的に形成した上記生長誘引手段１４は、ネットなどに比べて擁壁面から外れるおそれがない。
【００１５】
【発明の効果】
１）既設・新設の擁壁を問わず、擁壁に植栽孔をあけるだけで、蔓植物だけでなく、樹木や草花類によるコンクリート擁壁などの表面の緑化が容易にできる。
２）擁壁背部の透水層の間隙水を利用することができるため、一度、根が活着すれば、乾燥時においても枯れる心配が極めて少ない。従って、灌水作業およびそのための設備が不要となる。
３）補助資材を用いずに、蔓植物の誘引ができ、効率的な面的緑化が可能となる。
４）万が一、植物が枯れた場合の撤去、植え替えが容易である。また、緑化を取りやめる場合でも、植栽孔をコンクリート等で充填することにより、通常のコンクリート擁壁などに戻すことができる。
【図面の簡単な説明】
【図１】本発明の一実施例を示す断面図である。
【図２】植栽孔の別の実施例を示す断面図である。
【図３】活着部分の別の実施例を示す断面図である。
【図４】の実施例を示した説明図である。
【図５】擁壁表面の別の実施例を示す説明図である。
【図６】植栽孔の後部の別の実施例を示す説明図である。
【図７】擁壁表面の更に別の実施例を示す説明図である。
【符号の説明】
１  擁壁
２  透水層
２ａ  活着部分
３  地山
４  植栽孔
５  補助育成基盤材
６  植物
６′蔓植物
６ａ  根
７  排水孔
８  育成基盤材
９  集水路
９ａ  集水溝
９ｂ  集水突起
１０  保水用筒体
１０ａ  孔
１０ｂ  切欠き
１１  保水凹部
１２  育成用ケース
１３  底面給水用トレー
１４  生長誘引手段
１４ａ  突状生長誘引手段
１４ｂ  溝状生長誘引手段
【図１】
0003793914.tif 000002
【図２】
0003793914.tif 000003
【図３】
0003793914.tif 000004
【図４】
0003793914.tif 000005
【図５】
0003793914.tif 000006
【図６】
0003793914.tif 000007
【図７】
0003793914.tif 000008